(57)【要約】【課題】本発明は、ファクシミリ受信の受信画像の管理を正確かつ効率的に行う画像処理装置、画像処理方法、画像処理プログラム及び記録媒体に関する。【解決手段】複合装置１は、通信制御部５が所定の回線に接続されている送信元とファクシミリ制御手順に従ってファクシミリ受信を行って、該送信元から送られてきたファクシミリ画像を受信し、ファクシミリ通信の通信手順から送信元を特定する送信元関連情報を取得する。ＯＣＲ制御部１５は、この送信元関連情報に基づいてＯＣＲ辞書部１７の記憶する複数のＯＣＲ辞書から１つのＯＣＲ辞書を選択して、該ＯＣＲ辞書を使用して受信画像の所定領域をＯＣＲ処理し、該ＯＣＲ処理結果に基づいてファイル管理部１１が該受信画像の管理方法を決定する。したがって、ファクシミリ受信画像の文字に適したＯＣＲ辞書を選択してＯＣＲ処理の文字認識率を向上させることができる。【選択図】          図１
2010034807.tif 000002
【特許請求の範囲】
【請求項１】
所定の回線に接続され、少なくとも送信元と所定のファクシミリ制御手順に従って画像をファクシミリ受信し、該受信画像の管理を行う画像処理装置において、前記ファクシミリ通信の通信手順から前記送信元を特定する送信元関連情報を取得する送信元情報取得手段と、複数のＯＣＲ辞書を記憶するＯＣＲ辞書記憶手段と、該送信元関連情報に基づいて該複数のＯＣＲ辞書から１つのＯＣＲ辞書を選択するＯＣＲ辞書選択手段と、選択された該ＯＣＲ辞書を使用して前記受信画像の所定領域をＯＣＲ処理するＯＣＲ処理手段と、該ＯＣＲ処理結果に基づいて該受信画像の管理方法を決定する受信画像管理手段と、を備えていることを特徴とする画像処理装置。
【請求項２】
前記送信元情報取得手段は、前記送信元関連情報として、ファクシミリ制御信号であるＣＳＩ信号の国コード、前記回線を通して送られてくるナンバーディスプレイ情報、複数収納するダイヤルイン番号のうち該受信したダイヤルイン番号及び複数接続されている回線の該受信した回線種別のうち少なくとも１つを取得することを特徴とする請求項１記載の画像処理装置。
【請求項３】
前記画像処理装置は、前記送信元関連情報に対応させて前記ＯＣＲ辞書選択手段に選択させるＯＣＲ辞書を選択設定する選択設定手段を備えていることを特徴とする請求項１または請求項２記載の画像処理装置。
【請求項４】
前記画像処理装置は、前記送信元関連情報に基づいて、前記ＯＣＲ処理手段によるＯＣＲ処理対象領域として、前記受信画像全域とＴＴＩ領域のいずれか一方または双方を選択するＯＣＲ領域選択手段を備えていることを特徴とする請求項１から請求項３のいずれかに記載の画像処理装置。
【請求項５】
前記画像処理装置は、前記受信画像のＯＣＲ処理方向を上下左右に変更させて前記ＯＣＲ処理手段にＯＣＲ処理させるＯＣＲ処理方向制御手段と、該各方向での該ＯＣＲ処理手段によるＯＣＲ処理結果を判定するＯＣＲ処理結果判定手段と、前記受信画像管理手段は、該各方向でのＯＣＲ処理結果判定結果に基づいて該受信画像の出力管理方法を決定することを特徴とする請求項１から請求項４のいずれかに記載の画像処理装置。
【請求項６】
所定の回線に接続されている送信元と所定のファクシミリ制御手順に従ってファクシミリ受信を行って、該送信元から送られてきたファクシミリ画像を受信し、該受信した受信画像を管理する画像処理方法であって、前記ファクシミリ通信の制御手順から前記送信元を特定する送信元関連情報を取得する送信元情報取得処理ステップと、該送信元関連情報に基づいてＯＣＲ辞書記憶手段の記憶する複数のＯＣＲ辞書から１つのＯＣＲ辞書を選択するＯＣＲ辞書選択処理ステップと、選択された該ＯＣＲ辞書を使用して前記受信画像の所定領域をＯＣＲ処理するＯＣＲ処理ステップと、該ＯＣＲ処理結果に基づいて該受信画像の管理方法を決定する受信画像管理処理ステップと、を有していることを特徴とする画像処理方法。
【請求項７】
前記送信元情報取得処理ステップは、前記送信元関連情報として、ファクシミリ制御信号のＣＳＩ信号の国コード、前記回線を通して送られてくるナンバーディスプレイ情報、複数収納するダイヤルイン番号のうち該受信したダイヤルイン番号及び複数接続されている回線のうち該受信した回線種別のうち少なくとも１つを取得することを特徴とする請求項６記載の画像処理方法。
【請求項８】
前記画像処理方法は、前記受信画像のうちＴＴＩ領域と該ＴＴＩ領域以外の画像領域のいずれかをＯＣＲ処理対象領域として選択する領域選択処理ステップを、備え、前記ＯＣＲ処理ステップは、該領域選択処理ステップで選択された領域をＯＣＲ処理することを特徴とする請求項６または請求項７記載の画像処理方法。
【請求項９】
コンピュータに、所定の回線で接続された送信元と所定のファクシミリ制御手順に従ってファクシミリ受信を行って該送信元から送られてきたファクシミリ画像を受信するファクシミリ受信処理と、該ファクシミリ受信処理の処理手順から該送信元を特定する送信元関連情報を取得する送信元情報取得処理と、該送信元関連情報に基づいてＯＣＲ辞書記憶手段の記憶する複数のＯＣＲ辞書から１つのＯＣＲ辞書を選択するＯＣＲ辞書選択処理と、選択された該ＯＣＲ辞書を使用して前記受信画像の所定領域をＯＣＲ処理するＯＣＲ処理と、該ＯＣＲ処理結果に基づいて該受信画像の管理方法を決定する受信画像管理処理と、を実行させることを特徴とする画像処理プログラム。
【請求項１０】
請求項９記載の画像処理プログラムを記録したことを特徴とするコンピュータが読み取り可能な記録媒体。
【発明の詳細な説明】
【技術分野】
【０００１】
本発明は、画像処理装置、画像処理方法、画像処理プログラム及び記録媒体に関し、詳細には、ファクシミリ受信の受信画像の管理を正確かつ効率的に行う画像処理装置、画像処理方法、画像処理プログラム及び記録媒体に関する。
【背景技術】
【０００２】
近時、情報の電子化が進み、従来では紙文書で保管されていた文書も電子化されるようになってきている。このような文書の電子化に伴って、大量の電子化文書が流通し、収集・蓄積された電子化文書をいかに管理して簡便に再利用するかが重量な問題となってきている。そこでは、ある目的で収集された文書群の自動分類が要望されている。
【０００３】
このような文書の自動処理は、ファクシミリ受信文書にも要望があり、ファクシミリ受信した受信文書を電子化して、フォルダに分類整理したり、ネットワーク上の他の装置に送信したりして分類整理して、ファクシミリ受信文書の有効利用が要望されている。
【０００４】
そして、従来、ＯＣＲ（Optical Character Reader：光学式文字読取装置）機能を利用して、送信原稿を読み取った画像から宛先、件名及び本文の文字列を抽出して、電子メールの宛先、件名及び本文として設定して電子メール送信するネットワーク複合機が提案されている（特許文献１参照）。
【０００５】
【特許文献１】特開２００５−２４４４１１号公報
【発明の開示】
【発明が解決しようとする課題】
【０００６】
しかしながら、上記従来技術にあっては、原稿画像を読み取った画像からＯＣＲ解析して宛先、件名及び本文の文字列の抽出を行って電子メールを生成しているが、ＯＣＲの文字抽出率については考慮されておらず、ＯＣＲの文字認識率を向上させつつ、受信したファクシミリ画像の電子化処理を適切かつ効率的に行う上で、改良の必要があった。
【０００７】
そこで、本発明は、ファクシミリ受信画像の文字種別に適したＯＣＲ辞書を選択してＯＣＲ処理して、該ファクシミリ受信画像を適切かつ効率的に管理する画像処理装置、画像処理方法、画像処理プログラム及び記録媒体を提供することを目的としている。
【課題を解決するための手段】
【０００８】
本発明は、上記目的を達成するために、所定の回線に接続されている送信元と所定のファクシミリ制御手順に従ってファクシミリ受信を行って、該送信元から送られてきたファクシミリ画像を受信し、該受信した受信画像を管理する場合に、前記ファクシミリ通信の制御手順から前記送信元を特定する送信元関連情報を取得し、該送信元関連情報に基づいてＯＣＲ辞書記憶手段の記憶する複数のＯＣＲ辞書から１つのＯＣＲ辞書を選択して、選択された該ＯＣＲ辞書を使用して前記受信画像の所定領域をＯＣＲ処理し、該ＯＣＲ処理結果に基づいて該受信画像の管理方法を決定することを特徴としている。
【０００９】
また、本発明は、前記送信元関連情報として、ファクシミリ制御信号のＣＳＩ信号の国コード、前記回線を通して送られてくるナンバーディスプレイ情報、複数収納するダイヤルイン番号のうち該受信したダイヤルイン番号及び複数接続されている回線のうち該受信した回線種別のうち少なくとも１つを取得することを特徴としてもよい。
【００１０】
さらに、本発明は、前記受信画像のうちＴＴＩ領域と該ＴＴＩ領域以外の画像領域のいずれかをＯＣＲ処理対象領域として選択し、該選択された領域をＯＣＲ処理することを特徴としてもよい。
【発明の効果】
【００１１】
本発明によれば、ファクシミリ受信の送信元を特定する送信元関連情報に基づいてＯＣＲ辞書を選択して受信画像を管理するのに必要な情報を受信画像からＯＣＲ処理で取得して該受信画像の管理を行っているので、ファクシミリ受信画像の文字種別に適したＯＣＲ辞書を選択してＯＣＲ処理の文字認識率を向上させることができ、受信画像の管理をより一層適切に行うことができる。
【発明を実施するための最良の形態】
【００１２】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１３】
図１〜図１１は、本発明の画像処理装置、画像処理方法、画像処理プログラム及び記録媒体の一実施例を示す図であり、図１は、本発明の画像処理装置、画像処理方法、画像処理プログラム及び記録媒体の一実施例を適用した複合装置１のブロック構成図である。
【００１４】
図１において、複合装置１は、主制御部２、表示・操作制御部３、ジョブ制御部４、通信制御部５、圧縮伸張制御部６、プロッタ制御部７、スキャナ制御部８、宛先管理部９、内部スイッチ・自端末登録データ部１０、ファイル管理部１１、ネットワーク制御部部１２、レポート制御部１３、相手ＣＳＩ制御部１４、ＯＣＲ制御部１５、ナンバーディスプレイ制御部１６、ＯＣＲ辞書部１７、ダイヤルイン制御部１８、画像方向判定制御部１９、複数回線排他制御部２０及びＴｉｆｆ・ＰＤＦ作成制御部２１等を備えており、主要各部は、バス２２に接続されている。
【００１５】
主制御部２は、ＣＰＵ（Central Processing Unit ）、ＲＯＭ（Read Only Memory）及びＲＡＭ（Random Access Memory）等を備えたマイクロコンピュータ等が使用され、ＲＯＭまたは図示しないハードディスク内の基本プログラムや本発明の画像処理プログラム及び必要なデータを格納していて、ＣＰＵがＲＯＭ内のプログラムに基づいてＲＡＭをワークメモリとして利用して複合装置１の各部を制御して、複合装置１としての基本処理を実行するとともに、後述するファクシミリ受信の受信情報に基づいてＯＣＲ辞書を適宜切り換えて受信ファクシミリ画像（文書）の文字認識を適切に行って受信画像の出力管理を行う。
【００１６】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像処理方法を実行する画像処理プログラムを読み込んで主制御部２のＲＯＭやハードディスク等に導入することで、後述するファクシミリ受信の受信情報に基づいてＯＣＲ辞書を適宜切り換えて受信ファクシミリ文書の文字認識を適切に行って画像出力する画像処理方法を実行する画像処理装置としての複合装置１として構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１７】
表示・操作制御部（選択・設定手段、領域選択手段）３には、図示しない表示部及び操作部が接続されており、操作部は、テンキー、スタートキー、ファンクションキー、ワンタッチダイヤルキー及び短縮ダイヤルキー等のインターネット複合装置１の操作に必要な各種操作キーが設けられ、また、表示部は、例えば、液晶ディスプレイ等が用いられていて、主制御部２とデータ交換を行って、操作部から入力された命令内容や複合装置１からオペレータに通知する各種情報を表示する。表示・操作制御部３は、表示部及び操作部の各部の動作制御を行うとともに、主制御部２との間で各種データの交換を行い、操作部での操作キーの操作内容を主制御部２に通知し、主制御部２から表示データを受け取って表示部に表示させる。特に、操作部及び表示部は、送信元関連情報に対応させてＯＣＲ辞書として選択させるＯＣＲ辞書の選択設定及び受信画像のうちＴＴＩ領域と該ＴＴＩ領域以外の画像領域のいずれかをＯＣＲ処理対象領域として選択する領域選択操作に使用され、表示・操作制御部３は、この操作と主制御部２との間の制御を行う。
【００１８】
ジョブ制御部４には、オペレータによる複合装置１に対して指示操作されたコピー、スキャナ、ファクシミリ受信、ファクシミリ送信、文書整理、電子メールの作成・送受信等の何らかのジョブが発生した際に、主制御部２にジョブの要求を発生し、このジョブ発生要求に応じて主制御部２が制御の発生を要求すると、該ジョブ発生要求を受け入れて、ジョブの実行制御を行う。
【００１９】
通信制御部（送信元情報取得手段）５は、例えば、Ｇ３制御部等で構成され、公衆回線網等を介して接続された相手先ファクシミリ装置との間でファクシミリ制御信号の交換を行うとともに、データ変換を行って、ファクシミリ通信手順を実行する。
【００２０】
圧縮伸張制御部６は、画像データの図示しない画像メモリへの蓄積の効率化及び伝送時間の短縮化を図るためのものであり、所定の符号化方式、特に、複合装置１がネットワークファクシミリ装置であるため、ＭＨ（Modified Huffman）符号化方式で画像データを符号化し、また、符号化された画像データを復号化する。
【００２１】
プロッタ制御部７には、図示しないプロッタが接続されており、プロッタとしては、例えば、電子写真方式、インク噴射方式等の印刷装置が使用されている。プロッタ制御部７は、画像メモリ等から転送されてくる画像データ（書込データ）に基づいてプロッタを制御し、プロッタにより画像データに対応した画像を用紙に記録出力させる。
【００２２】
スキャナ制御部８には、図示しないスキャナが接続されており、スキャナは、例えば、ＣＣＤ（Charge Coupled Device）を利用したイメージスキャナが利用されて、スキャナ制御部８の制御下で動作して、原稿を走査して原稿の画像を所定の解像度で読み取る。スキャナ制御部８は、主制御部２からの制御信号に応じて、スキャナの動作を制御して、スキャナに原稿の画像を読み取らせ、スキャナの読み取った原稿の画像を図示しない画像メモリに転送する。
【００２３】
宛先管理部９は、ファクシミリ通信の各宛先毎に、宛先ＩＤ、ユーザ名、等の宛先情報からなる宛先管理テーブルを作成し、該宛先管理テーブルに基づいて、主制御部２の制御下で、宛先管理を行う。
【００２４】
内部スイッチ・自端末登録データ部１０は、複合装置１の各種動作設定を行うスイッチの状態及び複合装置１に関するデータ（機種、機番号、自己のファクシミリ番号等）を記憶する。
【００２５】
ファイル管理部１１は、主制御部２の制御下で、送信用及び受信用の画像ファイルを生成したり、消去したり等の各種ファイルを管理を行う。特に、ファイル管理部１１は、後述するＯＣＲ制御部１５によるＯＣＲ処理結果に基づいてファクシミリ受信画像の管理方法を決定する。
【００２６】
ネットワーク制御部１２には、所定のネットワーク、例えば、ＬＡＮ（Local Area Network）等のケーブルが接続されており、ネットワークには、パーソナルコンピュータ等の情報処理装置やデータサーバ等が接続されている。ネットワーク制御部１２は、ネットワークを介して情報処理装置やデータ等から送信されてきた圧縮された画像データを複合装置１で処理可能な画像データに変換し、また、画像メモリ内の画像データを該情報処理装置等に転送する際に、該画像データを該情報処理装置等で処理可能な画像データに変換して、該情報処理装置等に送信する。
【００２７】
レポート制御部１３は、主制御部２の制御下で、通信レポート等の各種レポートを管理し、必要に応じて、レポートをプロッタ制御部７を介してプロッタで用紙に記録出力させる。
【００２８】
相手ＣＳＩ制御部（送信元情報取得手段）１４は、ファクシミリ通信、特に、ファクシミリ受信時に送信元から送られてくる相手先識別情報（送信元情報）であるＣＳＩ（Called Subscriber Identification：被呼端末識別信号）信号から相手先電話番号等の送信元情報を取得してジョブ制御部４に通知する。
【００２９】
ＯＣＲ制御部（ＯＣＲ処理手段）１５は、ＯＣＲ対象画像のＯＣＲ処理を行うとともに、ＯＣＲ辞書部（ＯＣＲ辞書記憶手段）１７に格納されている複数のＯＣＲ辞書のうち、ジョブ制御部４からの送信元情報に基づいてから該ＯＣＲ処理で使用するＯＣＲ辞書を選択して、該選択したＯＣＲ辞書を使用して受信画像の所定領域をＯＣＲ処理する。
【００３０】
ナンバーディスプレイ制御部（送信元情報取得手段）１６は、通信制御部５がファクシミリ受信を行う際にファクシミリプロトコルから相手装置（送信元装置）のナンバーディスプレイ情報（送信元情報）を抽出し、ジョブ制御部４にナンバーディスプレイ情報を通知する。
【００３１】
ＯＣＲ辞書部１７は、各国言語等に対応した複数のＯＣＲ辞書を格納しており、ＯＡ制御部１５が選択使用する。
【００３２】
ダイヤルイン制御部（送信元情報取得手段）１８は、通信制御部５がファクシミリ受信を行う際にプロトコルから相手装置のダイヤルイン番号情報（送信元情報）を抽出し、ジョブ制御部４にダイヤルイン番号情報を通知する。
【００３３】
画像方向判定制御部（ＯＣＲ処理方向制御手段、ＯＣＲ処理結果判定手段）１９は、主制御部２の制御下で動作して、ＯＣＲ制御部１５にファクシミリ受信画像の上下左右方向からＯＣＲ処理を行わせて、各方向でのＯＣＲ制御部１５によるＯＣＲ処理での文字の認識率（ヒット率）に基づいて、受信画像の画像方向を判別する。
【００３４】
複数回線排他制御部（送信元情報取得手段）２０は、通信制御部５に複数の回線が接続されている場合に、現在ファクシミリ受信を行っている回線がどの回線であるのかを判別して、回線種別をジョブ制御部４に通知する。
【００３５】
ＴＩＦＦ・ＰＤＦ作成制御部２１は、ファクシミリ受信画像からＴＩＦＦ（Tag Image File Format）データまたは／及びＰＤＦ（Portable Document Format）データを生成して、ファイル管理部１１に渡す。
【００３６】
次に、本実施例の作用を説明する。本実施例の複合装置１は、ファクシミリ受信を行うと、受信画像を適切なＯＣＲ辞書を選択してＯＣＲ処理し、該ＯＣＲ処理結果に基づいて該受信画像の管理を行う。
【００３７】
まず、ファクシミリプロトコルのＣＳＩ信号に基づいて解析した国コード（国情報）に基づいて受信画像の管理を行う場合について、図２及び図３に基づいて説明する。
【００３８】
複合装置１は、ＯＣＲ制御部１５が、図２に示すように、ＣＳＩの国コードと該ＣＳＩの国コードに対応させて使用するＯＣＲ辞書のテーブル（以下、国コード対応使用ＯＣＲ辞書選択テーブルという。）を保持しており、この国コード対応使用ＯＣＲ辞書選択テーブルは、予めＣＳＩの国コードとＯＣＲ辞書が対応付けられて登録されているが、ユーザが表示・操作制御部３からの操作で、国コードに対して使用するＯＣＲ辞書を適宜設定したり、変更したりすることができる。
【００３９】
複合装置１は、このようにＯＣＲ制御部１５に国コード対応使用ＯＣＲ辞書選択テーブルが登録されている状態で、通信制御部５が、リンギングを検出すると、図３に示すように、ジョブ制御部４にＧ３受信の許可を受けて、ファクシミリ受信プロトコルを開始する（ステップＳ１０１）。
【００４０】
複合装置１は、通信制御部５が、ファクシミリプロトコルを開始すると、相手ＣＳＩ制御部１４が、送信元から送られてくるＣＳＩ信号を認識して、該ＣＳＩ信号から国コードを抽出し、抽出した国コードをジョブ制御部４に通知する（ステップＳ１０２）。また、通信制御部５は、ファクシミリ手順を行って送信元からファクシミリ画像データを受信すると、該受信した画像データをファイル管理部１１に渡し、ファイル管理部１１が一時保管し、さらに、該受信画像データの画像データファイルの画像ファイルＩＤをジョブ制御部４に通知する（ステップＳ１０３）。
【００４１】
通信制御部５は、全てのファクシミリ受信プロトコルを終了すると、ジョブ制御部４に終了を通知し（ステップＳ１０４）、ジョブ制御部４は、ＯＣＲ制御部１５に、相手ＣＳＩ制御部１４から渡された国コードを通知して、ＯＣＲ処理の依頼をかける。ＯＡ制御部１５は、ジョブ制御部４から渡された国コードに基づいて国コード対応使用ＯＣＲ辞書選択テーブルを参照して、該国コードに対応するＯＣＲ辞書を、該ファクシミリ受信画像のＯＣＲ処理に使用する辞書として、予めプリセットされた辞書から切り替える（ステップＳ１０５）。
【００４２】
ＯＣＲ制御部１５は、該選択したＯＣＲ辞書を使用して、ファイル管理部１１に保管されているファクシミリ受信画像データのＯＣＲ処理を行う（ステップＳ１０６）。この場合、ＯＣＲ制御部１５は、受信画像の全てのページの全ての領域についてＯＣＲ処理を行ってもよいが、受信画像の出力先を決定して整理分類するためのＯＣＲ処理であれば、受信画像のうち該整理分類を行うのに必要な情報の特定記載領域（例えば、ＴＴＩ領域部分）のみをＯＣＲ処理して文字認識する。
【００４３】
ＯＣＲ制御部１５は、ＯＣＲ処理を行って文字を抽出して、抽出した文字と画像ファイルＩＤをジョブ制御部４に通知し、ジョブ制御部４は、受け取った文字と画像ファイルＩＤをＴＩＦＦ・ＰＤＦ作成制御部２１に通知する。Ｔｉｆｆ・ＰＤＦ作成制御部２１は、ジョブ制御部４から受け取った画像ファイルＩＤに対応する受信画像を、Ｔｉｆｆ化あるいはＰＤＦ化して、ジョブ制御部４から受け取った文字とともに該画像ファイルをファイル管理部１１に渡す。ファイル管理部１１は、該受け取った画像ファイルを該受け取ったＯＣＲ認識文字に基づいて、データファイルの管理を行う（ステップＳ１０８）。このデータファイル管理としては、例えば、該文字認識の結果に基づいて該受信画像の出力先の決定、例えば、フォルダへの保管、コンピュータへの送信、ファクシミリ転送、電子メール送信等の決定を行う。すなわち、ファイル管理部１１は、このファイル管理処理では、上述のように、ＴＩＦＦファイルまたはＰＤＦファイルを、内部メモリにＯＣＲ処理結果の文字に基づいて分類して保管してもよいし、他のコンピュータ等への送信、電子メール送信等の予め該解析文字に対して対応付けられている出力先への出力を行うようにしてもよい。
【００４４】
このように、本実施例の複合装置１は、所定の回線に接続されている送信元と所定のファクシミリ制御手順に従ってファクシミリ受信を行って、該送信元から送られてきたファクシミリ画像を受信し、該受信した受信画像を管理する場合に、ファクシミリ通信の制御手順から送信元を特定する送信元関連情報を取得し、該送信元関連情報に基づいてＯＣＲ辞書部１７の記憶する複数のＯＣＲ辞書から１つのＯＣＲ辞書を選択して、選択された該ＯＣＲ辞書を使用してＯＣＲ制御部１５で受信画像の所定領域をＯＣＲ処理し、該ＯＣＲ処理結果に基づいてファイル管理部１１が該受信画像の管理方法を決定している。
【００４５】
したがって、ファクシミリ受信画像の文字に適したＯＣＲ辞書を選択してＯＣＲ処理の文字認識率を向上させることができ、受信画像の管理をより一層適切に行うことができる。
【００４６】
また、本実施例の複合装置１は、送信元関連情報として、ファクシミリ制御信号のＣＳＩ信号の国コードを取得して、該国コードに基づいてＯＣＲ辞書を選択して、選択された該ＯＣＲ辞書を使用してＯＣＲ制御部１５で受信画像の所定領域をＯＣＲ処理し、該ＯＣＲ処理結果に基づいてファイル管理部１１が該受信画像の管理方法を決定している。
【００４７】
したがって、ファクシミリ受信画像の文字に適したＯＣＲ辞書を選択してＯＣＲ処理の文字認識率を向上させることができ、受信画像の管理をより一層適切に行うことができる。
【００４８】
さらに、複合装置１は、上記ＯＣＲ辞書の選択において、ＣＳＩに基づく国コードによってＯＣＲ辞書の選択処理を行っているが、上述のように、ＣＳＩによる国コードで選択するＯＣＲ辞書をユーザが表示・操作制御部３の操作等によって国コード対応使用ＯＣＲ辞書選択テーブルの設定を変更できるようにしている。
【００４９】
したがって、海外支社から日本語で記載されたファクシミリ画像を受信する場合に、該ＣＳＩで決定される外国の言語のＯＣＲ辞書ではなく、日本語の辞書を使用するように設定することで、ＯＣＲ処理の認識率を向上させることができる。
【００５０】
なお、上記説明ではＯＣＲ辞書の選択を行っているが、ＯＣＲ辞書の選択方法は、ＣＳＩによる国コードに基づいてＯＣＲ辞書を選択しているが、ＣＳＩによる国コードでＯＣＲ辞書を選択する方法に限るものではなく、例えば、図４及び図５に示すように、ナンバーディスプレイ機能による送信元のナンバーディスプレイ情報に基づいてＯＣＲ辞書を選択するようにしてもよい。なお、図５において、図３と同様の処理ステップについては、同一のステップナンバを付して、その説明を簡略化する。
【００５１】
複合装置１は、ＯＣＲ辞書を送信元ナンバーディスプレイ情報に基づいて選択する場合、ＯＣＲ制御部１５が、図４に示すように、ナンバーディスプレイ情報と該ナンバーディスプレイ情報に対応して使用するＯＣＲ辞書のテーブル（以下、ナンバーディスプレイ情報対応使用ＯＣＲ辞書選択テーブルという。）を保持しており、このナンバーディスプレイ情報対応使用ＯＣＲ辞書選択テーブルは、予め通信時に局から送られてくるナンバーディスプレイ情報とＯＣＲ辞書が対応付けられて登録されているが、ユーザが表示・操作制御部３からの操作で、ナンバーディスプレイ情報に対応させて使用するＯＣＲ辞書を適宜設定したり、変更したりすることができる。
【００５２】
複合装置１は、このようにＯＣＲ制御部１５にナンバーディスプレイ情報対応使用ＯＣＲ辞書選択テーブルが登録されている状態で、通信制御部５が、リンギングを検出すると、ジョブ制御部４にＧ３受信の許可を受けて、ファクシミリ受信プロトコルを開始する（ステップＳ１０１）。
【００５３】
複合装置１は、通信制御部５が、ファクシミリプロトコルを開始すると、ナンバーディスプレイ制御部１６が、回線の通信局から送られてくるナンバーディスプレイ情報を抽出し、抽出したナンバーディスプレイ情報をジョブ制御部４に通知する（ステップＳ２０２）。また、通信制御部５は、ファクシミリ手順を行って送信元からファクシミリ画像データを受信すると、該受信した画像データをファイル管理部１１に渡し、ファイル管理部１１が一時保管し、さらに、該受信画像データの画像データファイルの画像ファイルＩＤをジョブ制御部４に通知する（ステップＳ１０３）。
【００５４】
通信制御部５は、全てのファクシミリ受信プロトコルを終了すると、ジョブ制御部４に終了を通知し（ステップＳ１０４）、ジョブ制御部４は、ＯＣＲ制御部１５に、ナンバーディスプレイ制御部１６から渡されたナンバーディスプレイ情報を通知して、ＯＣＲ処理の依頼をかける。ＯＡ制御部１５は、ジョブ制御部４から渡されたナンバーディスプレイ情報に基づいてナンバーディスプレイ情報対応使用ＯＣＲ辞書選択テーブルを参照して、該ナンバーディスプレイ情報に対応するＯＣＲ辞書を該ファクシミリ受信画像のＯＣＲ処理に使用する辞書としてプリセットされた辞書から切り替える（ステップＳ２０２）。
【００５５】
ＯＣＲ制御部１５は、該選択したＯＣＲ辞書を使用して、ファイル管理部１１に保管されているファクシミリ受信画像データのＯＣＲ処理を行う（ステップＳ１０６）。この場合、ＯＣＲ制御部１５は、上記同様に、受信画像の全てのページの全ての領域についてＯＣＲ処理を行ってもよいが、受信画像の出力先を決定して整理分類するためのＯＣＲ処理であれば、受信画像のうち該整理分類するのに必要な情報の記載領域のみをＯＣＲ処理して、文字認識し、該文字認識の結果に基づいて該受信画像の出力先、例えば、フォルダ、コンピュータ、ファクシミリ転送、電子メール送信等を決定する。
【００５６】
ＯＣＲ制御部１５は、ＯＣＲ処理を行って文字を抽出して、抽出した文字（ＯＣＲ抽出文字）と画像ファイルＩＤをジョブ制御部４に通知し、ジョブ制御部４は、受け取った文字と画像ファイルＩＤをＴＩＦＦ・ＰＤＦ作成制御部２１に通知する。Ｔｉｆｆ・ＰＤＦ作成制御部２１は、ジョブ制御部４から受け取った画像ファイルＩＤに対応する受信画像を、Ｔｉｆｆ化あるいはＰＤＦ化して、ジョブ制御部４から受け取ったＯＣＲ処理で認識された文字とともに該画像ファイルをファイル管理部１１に渡す。ファイル管理部１１は、該受け取った画像ファイルを該受け取ったＯＣＲ認識結果文字に基づいて上記データファイルの管理を行う（ステップＳ１０８）。
【００５７】
このように、本実施例の複合装置１は、送信元関連情報として、ナンバーディスプレイ情報を取得して、該ナンバーディスプレイ情報に基づいてＯＣＲ辞書を選択して、選択された該ＯＣＲ辞書を使用してＯＣＲ制御部１５で受信画像の所定領域をＯＣＲ処理し、該ＯＣＲ処理結果に基づいてファイル管理部１１が該受信画像の管理方法を決定している。
【００５８】
したがって、ファクシミリ受信画像の文字に適したＯＣＲ辞書を選択してＯＣＲ処理の文字認識率を向上させることができ、受信画像の管理をより一層適切に行うことができる。
【００５９】
また、ＯＣＲ辞書の選択方法は、上記ＣＳＩによる国コードやナンバーディスプレイ情報に基づく方法に限るものではなく、例えば、図６及び図７に示すように、複合装置１に接続される回線にダイヤルイン番号が複数加入されている場合には、送信元関連情報として、ダイヤルイン番号を取得して、ダイヤルイン番号に基づいてＯＣＲ辞書を選択するようにしてもよい。なお、図７において、図３と同様の処理ステップについては、同一のステップナンバを付して、その説明を簡略化する。
【００６０】
複合装置１は、ＯＣＲ辞書を送信元ダイヤルイン発信者番号に基づいて選択する場合、ＯＣＲ制御部１５が、図６に示すように、ダイヤルイン番号と該ダイヤルイン番号に対応して使用するＯＣＲ辞書部１７のＯＣＲ辞書テーブル（以下、ダイヤルイン番号対応使用ＯＣＲ辞書選択テーブルという。）を保持しており、このダイヤルイン番号対応使用ＯＣＲ辞書選択テーブルは、予め通信時に局から送られてくるダイヤルイン番号とＯＣＲ辞書が対応付けられている。ＯＣＲ辞書部１７のダイヤルイン番号対応使用ＯＣＲ辞書選択テーブルは、ユーザの表示・操作制御部３からの操作に応じて、適宜設定登録したり、テーブル内容の変更が可能となっている。
【００６１】
複合装置１は、このようにＯＣＲ制御部１５にダイヤルイン番号対応使用ＯＣＲ辞書選択テーブルが登録されている状態で、通信制御部５が、リンギングを検出すると、ジョブ制御部４にＧ３受信の許可を受けて、ファクシミリ受信プロトコルを開始する（ステップＳ１０１）。
【００６２】
複合装置１は、通信制御部５が、ファクシミリプロトコルを開始すると、ダイヤルイン制御部１８が、回線の通信局から送られてくるダイヤルイン番号を抽出し、抽出したダイヤルイン番号をジョブ制御部４に通知する（ステップＳ３０１）。また、通信制御部５は、ファクシミリ手順を行って送信元からファクシミリ画像データを受信すると、該受信した画像データをファイル管理部１１に渡し、ファイル管理部１１が一時保管し、さらに、該受信画像データの画像データファイルの画像ファイルＩＤをジョブ制御部４に通知する（ステップＳ１０３）。
【００６３】
通信制御部５は、全てのファクシミリ受信プロトコルを終了すると、ジョブ制御部４に終了を通知し（ステップＳ１０４）、ジョブ制御部４は、ＯＣＲ制御部１５に、ダイヤルイン制御部１８から渡されたダイヤルイン番号を通知して、ＯＣＲ処理の依頼をかける。ＯＡ制御部１５は、ジョブ制御部４から渡されたダイヤルイン番号に基づいてダイヤルイン番号対応使用ＯＣＲ辞書選択テーブルを参照して、該ダイヤルイン番号に対応するＯＣＲ辞書を該ファクシミリ受信画像のＯＣＲ処理に使用する辞書としてプリセットされた辞書から切り替える（ステップＳ３０２）。
【００６４】
ＯＣＲ制御部１５は、該選択したＯＣＲ辞書を使用して、ファイル管理部１１に保管されているファクシミリ受信画像データのＯＣＲ処理を行う（ステップＳ１０６）。この場合、ＯＣＲ制御部１５は、上記同様に、受信画像の全てのページの全ての領域についてＯＣＲ処理を行ってもよいが、受信画像の出力先を決定して整理分類するためのＯＣＲ処理であれば、受信画像のうち該整理分類するのに必要な情報の記載領域のみをＯＣＲ処理して、文字認識し、該文字認識の結果に基づいて該受信画像の出力先、例えば、フォルダ、コンピュータ、ファクシミリ転送、電子メール送信等を決定する。
【００６５】
ＯＣＲ制御部１５は、ＯＣＲ処理を行って文字を抽出して、抽出した文字（ＯＣＲ抽出文字）と画像ファイルＩＤをジョブ制御部４に通知し、ジョブ制御部４は、受け取った文字と画像ファイルＩＤをＴＩＦＦ・ＰＤＦ作成制御部２１に通知する。Ｔｉｆｆ・ＰＤＦ作成制御部２１は、ジョブ制御部４から受け取った画像ファイルＩＤに対応する受信画像を、Ｔｉｆｆ化あるいはＰＤＦ化して、ジョブ制御部４から受け取ったＯＣＲ処理で認識された文字とともに該画像ファイルをファイル管理部１１に渡す。ファイル管理部１１は、該受け取った画像ファイルを該受け取ったＯＣＲ認識結果文字に基づいて上記データファイルの管理を行う（ステップＳ１０８）。
【００６６】
このように、本実施例の複合装置１は、送信元関連情報として、ダイヤルイン番号を取得して、該ダイヤルイン番号に基づいてＯＣＲ辞書を選択して、選択された該ＯＣＲ辞書を使用してＯＣＲ制御部１５で受信画像の所定領域をＯＣＲ処理し、該ＯＣＲ処理結果に基づいてファイル管理部１１が該受信画像の管理方法を決定している。
【００６７】
したがって、ファクシミリ受信画像の文字に適したＯＣＲ辞書を選択してＯＣＲ処理の文字認識率を向上させることができ、受信画像の管理をより一層適切に行うことができる。
【００６８】
さらに、ＯＣＲ辞書の選択方法は、上記ＣＳＩによる国コード、ナンバーディスプレイ情報、ダイヤルイン番号に基づく方法に限るものではなく、複合装置１に複数の回線が接続されている場合、例えば、図８及び図９に示すように、ファクシミリ受信の発生した回線種別に基づいてＯＣＲ辞書を選択するようにしてもよい。なお、図９において、図３と同様の処理ステップについては、同一のステップナンバを付して、その説明を簡略化する。
【００６９】
複合装置１は、ＯＣＲ辞書をファクシミリ受信の発生した回線種別に基づいて選択する場合、ＯＣＲ制御部１５が、図８に示すように、回線種別と該回線種別に対応して使用するＯＣＲ辞書のテーブル（以下、回線種別対応使用ＯＣＲ辞書選択テーブルという。）を保持しており、この回線種別対応使用ＯＣＲ辞書選択テーブルは、複合装置１に接続されている複数の回線種別（例えば、図８に示すように、回線１から回線ｎ）とＯＣＲ辞書が対応付けられて、ユーザの表示・操作制御部３からの操作に応じて、適宜設定登録したり、変更した内容のテーブルが登録される。
【００７０】
複合装置１は、このようにＯＣＲ制御部１５に回線種別対応使用ＯＣＲ辞書選択テーブルが登録されている状態で、通信制御部５が、リンギングを検出すると、ジョブ制御部４にＧ３受信の許可を受けて、ファクシミリ受信プロトコルを開始する（ステップＳ１０１）。
【００７１】
複合装置１は、通信制御部５が、ファクシミリプロトコルを開始すると、複数回線排他制御部２０が、今回のファクシミリ受信回線がどの回線であるかの回線種別を認識して、該認識した回線種別をジョブ制御部４に通知する（ステップＳ４０１）。また、通信制御部５は、ファクシミリ手順を行って送信元からファクシミリ画像データを受信すると、該受信した画像データをファイル管理部１１に渡し、ファイル管理部１１が一時保管し、さらに、該受信画像データの画像データファイルの画像ファイルＩＤをジョブ制御部４に通知する（ステップＳ１０３）。
【００７２】
通信制御部５は、全てのファクシミリ受信プロトコルを終了すると、ジョブ制御部４に終了を通知し（ステップＳ１０４）、ジョブ制御部４は、ＯＣＲ制御部１５に、通信制御部５から渡された回線種別を通知して、ＯＣＲ処理の依頼をかける。ＯＡ制御部１５は、ジョブ制御部４から渡された回線種別に基づいて回線種別対応使用ＯＣＲ辞書選択テーブルを参照して、該回線種別に対応するＯＣＲ辞書を該ファクシミリ受信画像のＯＣＲ処理に使用する辞書としてプリセットされた辞書から切り替える（ステップＳ４０２）。
【００７３】
ＯＣＲ制御部１５は、該選択したＯＣＲ辞書を使用して、ファイル管理部１１に保管されているファクシミリ受信画像データのＯＣＲ処理を行う（ステップＳ１０６）。この場合、ＯＣＲ制御部１５は、上記同様に、受信画像の全てのページの全ての領域についてＯＣＲ処理を行ってもよいが、受信画像の出力先を決定して整理分類するためのＯＣＲ処理であれば、受信画像のうち該整理分類するのに必要な情報の記載領域のみをＯＣＲ処理して、文字認識し、該文字認識の結果に基づいて該受信画像の出力先、例えば、フォルダ、コンピュータ、ファクシミリ転送、電子メール送信等を決定する。
【００７４】
ＯＣＲ制御部１５は、ＯＣＲ処理を行って文字を抽出して、抽出した文字（ＯＣＲ抽出文字）と画像ファイルＩＤをジョブ制御部４に通知し、ジョブ制御部４は、受け取った文字と画像ファイルＩＤをＴＩＦＦ・ＰＤＦ作成制御部２１に通知する。Ｔｉｆｆ・ＰＤＦ作成制御部２１は、ジョブ制御部４から受け取った画像ファイルＩＤに対応する受信画像を、Ｔｉｆｆ化あるいはＰＤＦ化して、ジョブ制御部４から受け取ったＯＣＲ処理で認識された文字とともに該画像ファイルをファイル管理部１１に渡す。ファイル管理部１１は、該受け取った画像ファイルを該受け取ったＯＣＲ認識結果文字に基づいて上記データファイルの管理を行う（ステップＳ１０８）。
【００７５】
このように、本実施例の複合装置１は、送信元関連情報として、ファクシミリ受信のあった回線の回線種別を取得して、該回線種別に基づいてＯＣＲ辞書を選択して、選択された該ＯＣＲ辞書を使用してＯＣＲ制御部１５で受信画像の所定領域をＯＣＲ処理し、該ＯＣＲ処理結果に基づいてファイル管理部１１が該受信画像の管理方法を決定している。
【００７６】
したがって、ファクシミリ受信画像の文字に適したＯＣＲ辞書を選択してＯＣＲ処理の文字認識率を向上させることができ、受信画像の管理をより一層適切に行うことができる。
【００７７】
また、ＯＣＲ処理する受信画像の領域としては、発信日時、発信元、ページ数等のＴＴＩ（Transmitter Terminal Identification）等の送信元情報の記載されている特定画像領域のみをＯＣＲ処理する場合と、受信画像の全領域をＯＣＲ処理する場合と、ＴＴＩ等の送信元情報の記載されている特定画像領域を省いた他の画像領域のみをＯＣＲ処理する場合等のように、図１０に示すように、ＯＣＲ処理する領域を、ファクシミリ受信の送信元（相手先）によって設定してＯＣＲ処理するようにしてもよい。この場合、送信元情報に対応付けて、上述のように、ＯＣＲ処理辞書を登録する送信元情報対応使用辞書選択テーブルに該ＯＣＲ処理範囲を送信元情報毎に登録する。すなわち、ファクシミリ通信においては、送信側において、発信日時、発信元、ページ数等のＴＴＩ情報を、送信原稿の画情報の先端領域に付加して送信し、受信側（本実施例の複合装置１）が、このＴＴＩ情報の付加された画情報を用紙に記録することで、ＴＴＩ情報が受信原稿の先端領域に記録される。この受信画像に付加されているＴＴＩ情報の付加されている領域を特定画像領域としている。なお、図１０において、図３と同様の処理ステップについては、同一のステップナンバを付して、その説明を簡略化する。また、図１０は、上記図８及び図９と同様に、回線種別に基づいてＯＣＲ辞書を選択する場合に適用しているが、上記ＣＳＩによる国コード、ナンバーディスプレイ情報、ダイヤルイン番号に基づく方法等の場合にも同様に適用することができる。
【００７８】
複合装置１は、ＯＣＲ辞書及びＯＣＲ処理領域をファクシミリ受信の発生した回線種別に基づいて選択する場合、ＯＣＲ制御部１５が、回線種別と該回線種別に対応して使用するＯＣＲ辞書及びＯＣＲ処理領域を登録したテーブル（以下、回線種別対応ＯＣＲ領域−使用ＯＣＲ辞書選択テーブルという。）を保持しており、この回線種別対応ＯＣＲ領域−使用ＯＣＲ辞書選択テーブルは、複合装置１に接続されている複数の回線種別とＯＣＲ辞書及びＯＣＲ処理領域が対応付けられて、ユーザの表示・操作制御部３からの操作に応じて、適宜設定登録したり、変更した内容のテーブルが登録される。このＯＣＲ処理領域は、上述のように、ＴＴＩ等の送信元情報の記載されている特定画像領域、受信画像の全領域、ＴＴＩ等の送信元情報の記載されている特定画像領域を省いた他の画像領域等のように領域指定されている。
【００７９】
複合装置１は、このようにＯＣＲ制御部１５に回線種別対応使用ＯＣＲ辞書選択テーブルが登録されている状態で、通信制御部５が、リンギングを検出すると、ジョブ制御部４にＧ３受信の許可を受けて、ファクシミリ受信プロトコルを開始する（ステップＳ１０１）。
【００８０】
複合装置１は、通信制御部５が、ファクシミリプロトコルを開始すると、複数回線排他制御部２０が、受信回線がどの回線であるかの回線種別を認識して、該認識した回線種別をジョブ制御部４に通知する（ステップＳ５０１）。また、通信制御部５は、ファクシミリ手順を行って送信元からファクシミリ画像データを受信すると、該受信した画像データをファイル管理部１１に渡し、ファイル管理部１１が一時保管し、さらに、該受信画像データの画像データファイルの画像ファイルＩＤをジョブ制御部４に通知する（ステップＳ１０３）。
【００８１】
通信制御部５は、全てのファクシミリ受信プロトコルを終了すると、ジョブ制御部４に終了を通知し（ステップＳ１０４）、ジョブ制御部４は、ＯＣＲ制御部１５に、通信制御部５から渡された回線種別を通知して、ＯＣＲ処理の依頼をかける。ＯＡ制御部１５は、ジョブ制御部４から渡された回線種別に基づいて回線種別対応ＯＣＲ領域−使用ＯＣＲ辞書選択テーブルを参照して、該回線種別に対応するＯＣＲ辞書を該ファクシミリ受信画像のＯＣＲ処理に使用する辞書としてプリセットされた辞書から切り替える（ステップＳ５０２）。
【００８２】
ＯＣＲ制御部（ＯＣＲ領域選択手段）１５は、さらに、ジョブ制御部４から渡された回線種別に基づいて回線種別対応ＯＣＲ領域−使用ＯＣＲ辞書選択テーブルを参照して、該回線種別に対応するＯＣＲ処理領域（ＯＣＲ処理範囲）を判定し（ステップＳ５０３）、該選択したＯＣＲ辞書を使用して、ファイル管理部１１に保管されているファクシミリ受信画像データのうち、該判定した画像領域（ＯＣＲ処理範囲）に対してＯＣＲ処理を行う（ステップＳ５０４）。
【００８３】
ＯＣＲ制御部１５は、受信画像の該判定したＯＣＲ処理領域に対してＯＣＲ処理を行って文字認識した結果に基づいて該受信画像の出力先、例えば、フォルダ、コンピュータ、ファクシミリ転送、電子メール送信等を決定する。
【００８４】
ＯＣＲ制御部１５は、ＯＣＲ処理を行って文字を抽出して、抽出した文字（ＯＣＲ抽出文字）と画像ファイルＩＤをジョブ制御部４に通知し、ジョブ制御部４は、受け取った文字と画像ファイルＩＤをＴＩＦＦ・ＰＤＦ作成制御部２１に通知する。Ｔｉｆｆ・ＰＤＦ作成制御部２１は、ジョブ制御部４から受け取った画像ファイルＩＤに対応する受信画像を、Ｔｉｆｆ化あるいはＰＤＦ化して、ジョブ制御部４から受け取ったＯＣＲ処理で認識された文字とともに該画像ファイルをファイル管理部１１に渡す。ファイル管理部１１は、該受け取った画像ファイルを該受け取ったＯＣＲ認識結果文字に基づいて上記データファイルの管理を行う（ステップＳ１０８）。
【００８５】
このように、本実施例の複合装置１は、ＯＣＲ処理によって認識した送信元関連情報に基づいて、ＯＣＲ制御部１５によるＯＣＲ処理対象領域として、受信画像全域とＴＴＩ領域のいずれか一方または双方を選択している。
【００８６】
したがって、より一層受信画像の管理方法を適切に決定することができるとともに、ＯＣＲ処理した文字情報の利用性を向上させることができる。
【００８７】
なお、この場合、複合装置１は、ＯＣＲ処理制御部１５が受信画像の全領域をＯＣＲ処理し、受信画像全域のＯＣＲ処理データを、ＴＴＩ領域のＯＣＲ処理データと該ＴＴＩ領域以外のＣＲ処理データとに分離して、分離したＯＣＲ処理データを適宜利用するようにしてもよい。
【００８８】
このようにすると、より一層ＯＣＲ処理の処理データの利用性を向上させることができる。
【００８９】
また、受信画像のＯＣＲ処理においては、図１１に示すように、画像の向きを変更して各方向でＯＣＲ処理を行って、認識率を向上させるようにしてもよい。なお、図１１において、図３及び図１０と同様の処理ステップについては、同一のステップナンバを付して、その説明を簡略化する。また、図１１は、上記図１０と同様に、回線種別に基づいてＯＣＲ辞書を選択するとともにＯＣＲ範囲を選択してＯＣＲ処理を行う場合に適用しているが、上記ＣＳＩによる国コード、ナンバーディスプレイ情報、ダイヤルイン番号に基づく方法等の場合にも同様に適用することができる。
【００９０】
複合装置１は、ＯＣＲ辞書及びＯＣＲ処理領域をファクシミリ受信の発生した回線種別に基づいて選択する場合、ＯＣＲ制御部１５が、回線種別と該回線種別に対応して使用するＯＣＲ辞書及びＯＣＲ処理領域を登録したテーブル（以下、回線種別対応ＯＣＲ領域−使用ＯＣＲ辞書選択テーブルという。）を保持しており、この回線種別対応ＯＣＲ領域−使用ＯＣＲ辞書選択テーブルは、複合装置１に接続されている複数の回線種別とＯＣＲ辞書及びＯＣＲ処理領域が対応付けられて、ユーザの表示・操作制御部３からの操作に応じて、適宜設定登録したり、変更した内容のテーブルが登録される。このＯＣＲ処理領域は、上述のように、ＴＴＩ等の送信元情報の記載されている特定画像領域、受信画像の全領域、ＴＴＩ等の送信元情報の記載されている特定画像領域を省いた他の画像領域等のように領域指定されている。
【００９１】
複合装置１は、このようにＯＣＲ制御部１５に回線種別対応使用ＯＣＲ辞書選択テーブルが登録されている状態で、通信制御部５が、リンギングを検出すると、ジョブ制御部４にＧ３受信の許可を受けて、ファクシミリ受信プロトコルを開始する（ステップＳ１０１）。
【００９２】
複合装置１は、通信制御部５が、ファクシミリプロトコルを開始すると、複数回線排他制御部２０はが、受信回線がどの回線であるかの回線種別を認識して、該認識した回線種別をジョブ制御部４に通知する（ステップＳ５０１）。また、通信制御部５は、ファクシミリ手順を行って送信元からファクシミリ画像データを受信すると、該受信した画像データをファイル管理部１１に渡し、ファイル管理部１１が一時保管し、さらに、該受信画像データの画像データファイルの画像ファイルＩＤをジョブ制御部４に通知する（ステップＳ１０３）。
【００９３】
通信制御部５は、全てのファクシミリ受信プロトコルを終了すると、ジョブ制御部４に終了を通知し（ステップＳ１０４）、ジョブ制御部４は、ＯＣＲ制御部１５に、通信制御部５から渡された回線種別を通知して、ＯＣＲ処理の依頼をかける。ＯＡ制御部１５は、ジョブ制御部４から渡された回線種別に基づいて回線種別対応ＯＣＲ領域−使用ＯＣＲ辞書選択テーブルを参照して、該回線種別に対応するＯＣＲ辞書を該ファクシミリ受信画像のＯＣＲ処理に使用する辞書としてプリセットされた辞書から切り替える（ステップＳ５０２）。
【００９４】
ＯＣＲ制御部１５は、さらに、ジョブ制御部４から渡された回線種別に基づいて回線種別対応ＯＣＲ領域−使用ＯＣＲ辞書選択テーブルを参照して、該回線種別に対応するＯＣＲ処理領域（ＯＣＲ処理範囲）を判定し（ステップＳ５０３）、該選択したＯＣＲ辞書を使用して、ファイル管理部１１に保管されているファクシミリ受信画像データのうち、該判定した画像領域に対してＯＣＲ処理を行う（ステップＳ５０４）。
【００９５】
ＯＣＲ制御部１５は、ＯＣＲ処理を行うと、該ＯＣＲ処理での文字認識率を算出し（ステップＳ６０１）、算出した文字認識率が前回よりも向上しているかチェックして、向上していると、該向上した文字認識率を内部メモリ等に保存するとともに、該方向の画像をファイル管理部１１に渡す（ステップＳ６０２）。なお、いま、最初のＯＣＲ処理を行ったところであるので、前回の文字認識率は内部メモリには保存されておらず比較できないため、今回の文字認識率及び認識した文字と文字数を内部メモリに保存し、受信した方向の画像データをファイル管理部１１に渡す。
【００９６】
ＯＣＲ制御部１５は、文字認識率及び認識した文字と文字数の内部メモリへの保存を行うと、ＯＣＲ処理が予め設定されている回数（本実施例では、縦横の全ての方向について文字認識率を判断するため４回）行ったかチェックし（ステップＳ６０３）、４回ＯＣＲ処理を行っていないときには、９０度回転させ（ステップＳ６０４）、ステップＳ５０４に戻って、該９０度回転させた画像に対して、次のＯＣＲ処理を行って文字認識率を前回の文字認識率と比較して、必要な文字認識率、文字及び文字数の保存を行うとともに、必要な回転した画像データのプロトコル管理部１１へ渡す処理を、ステップＳ６０３で、ＯＣＲ処理が４回になるまで、繰り返し上記同様に実行する（ステップＳ５０４、Ｓ６０１〜Ｓ６０４）。
【００９７】
ステップＳ６０３で、ＯＣＲ処理が４回完了していると、ＯＣＲ制御部１５は、内部メモリに保存されている文字認識率の最も高い文字及び文字数及び該最も文字認識率の高かった方向の画像を特定する情報をファイル管理部１１に渡すか、ファイル管理部１１が常に、ＯＣＲ制御部１５から渡される画像データで以前の画像データを更新する処理を小なうことで、最も文字認識率の高い画像データのみがファイル管理部１１に残す。
【００９８】
そして、ＯＣＲ制御部１５は、受信画像の該判定したＯＣＲ処理領域に対してＯＣＲ処理を行って、最も文字認識率の高かったＯＣＲ処理の文字認識結果に基づいて該受信画像の出力先、例えば、フォルダ、コンピュータ、ファクシミリ転送、電子メール送信等を決定する。
【００９９】
ＯＣＲ制御部１５は、ＯＣＲ処理を行って文字を抽出して、抽出した文字（ＯＣＲ抽出文字）と画像ファイルＩＤをジョブ制御部４に通知し、ジョブ制御部４は、受け取った文字と画像ファイルＩＤをＴＩＦＦ・ＰＤＦ作成制御部２１に通知する。Ｔｉｆｆ・ＰＤＦ作成制御部２１は、ジョブ制御部４から受け取った画像ファイルＩＤに対応する受信画像を、Ｔｉｆｆ化あるいはＰＤＦ化して、ジョブ制御部４から受け取ったＯＣＲ処理で認識された文字とともに該画像ファイルをファイル管理部１１に渡す。ファイル管理部１１は、該受け取った画像ファイルを該受け取ったＯＣＲ認識結果文字に基づいて上記データファイルの管理を行う（ステップＳ１０８）。
【０１００】
このように、本実施例の複合装置１は、受信画像のＯＣＲ処理方向を上下左右に変更させてＯＣＲ制御部１５でＯＣＲ処理し、各方向でのＯＣＲ処理結果を判定して、該ＯＣＲ処理結果判定結果に基づいて該受信画像の出力管理方法を決定している。
【０１０１】
したがって、最もＯＣＲ認識率の良好なＯＣＲ処理結果を利用して、受信画像の管理と受信画像の利用を行うことができ、より一層利用性を向上させることができる。
【０１０２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１０３】
本発明は、ファクシミリ受信した画像をＯＣＲ処理して受信画像を管理する画像処理装置、画像処理方法、画像処理プログラム及び記録媒体に利用することができる。
【図面の簡単な説明】
【０１０４】
【図１】本発明の一実施例を適用した複合装置のブロック構成図。
【図２】国コード対応使用ＯＣＲ辞書選択テーブルの一例を示す図。
【図３】国コードに基づくＯＣＲ辞書選択処理を伴うファクシミリ受信画像管理処理を示すフローチャート。
【図４】ナンバーディスプレイ情報対応使用ＯＣＲ辞書選択テーブルの一例を示す図。
【図５】ナンバーディスプレイ情報に基づくＯＣＲ辞書選択処理を伴うファクシミリ受信画像管理処理を示すフローチャート。
【図６】ダイヤルイン番号対応使用ＯＣＲ辞書選択テーブルの一例を示す図。
【図７】ダイヤルイン番号に基づくＯＣＲ辞書選択処理を伴うファクシミリ受信画像管理処理を示すフローチャート。
【図８】回線種別対応使用ＯＣＲ辞書選択テーブルの一例を示す図。
【図９】回線種別に基づくＯＣＲ辞書選択処理を伴うファクシミリ受信画像管理処理を示すフローチャート。
【図１０】回線種別に基づくＯＣＲ辞書及びＯＣＲ範囲選択処理を伴うファクシミリ受信画像管理処理を示すフローチャート。
【図１１】画像方向変更による文字認識率判別処理を伴うファクシミリ受信画像管理処理を示すフローチャート。
【符号の説明】
【０１０５】
１  複合装置
２  主制御部
３  表示・操作制御部
４  ジョブ制御部
５  通信制御部
６  圧縮伸張制御部
７  プロッタ制御部
８  スキャナ制御部
９  宛先管理部
１０  内部スイッチ・自端末登録データ部
１１  ファイル管理部
１２  ネットワーク制御部部
１３  レポート制御部
１４  相手ＣＳＩ制御部
１５  ＯＣＲ制御部
１６  ナンバーディスプレイ制御部
１７  ＯＣＲ辞書部
１８  ダイヤルイン制御部
１９  画像方向判定制御部
２０  複数回線排他制御部
２１  Ｔｉｆｆ・ＰＤＦ作成制御部
２２  バス
【図１】
2010034807.tif 000003
【図２】
2010034807.tif 000004
【図３】
2010034807.tif 000005
【図４】
2010034807.tif 000006
【図５】
2010034807.tif 000007
【図６】
2010034807.tif 000008
【図７】
2010034807.tif 000009
【図８】
2010034807.tif 000010
【図９】
2010034807.tif 000011
【図１０】
2010034807.tif 000012
【図１１】
2010034807.tif 000013